(57)【要約】【課題】液状化粧料が流れやすく塗布が行いやすいブラシを有する液状化粧料容器を提供する。【解決手段】容器本体１の収容部内の液状化粧料を、後端部が収容部に進入すると共に先端部４ｂがブラシ３の凹部３ａに進入した含浸体４の毛細管現象によりブラシ３へ送り、ブラシ３の筆毛同士間の隙間を通してブラシ３の先端側へ至らしめ、塗布に供するようにする一方で、液状化粧料がブラシ３を通る際に、吸水性を有し膨んだナイロン製の筆毛を、ブラシホルダ８においてブラシ３に接触しブラシ３を束ねる束ね部８ａでは外方への逃げ場がないため、含浸体４の先端部から束ね部８ａの内方位置まで達している空間Ｓに入り込ませるようにし、筆毛同士間の隙間を確保し液状化粧料の流路を確保する。【選択図】図２
2018086163.tif 000002
【特許請求の範囲】
【請求項１】
液状化粧料を収容する収容部が内部に設けられた容器本体と、
前記容器本体の先端側に設けられ、ナイロン製の筆毛を複数有し前記液状化粧料を塗布するためのブラシと、
前記容器本体の先端側に設けられて筒状を成し、前記ブラシが通過し接触することにより前記ブラシを束ねるブラシホルダと、
後端部が前記収容部に進入すると共に先端部が前記ブラシ内に進入し、前記液状化粧料を毛細管現象により前記ブラシへ送る含浸体と、を備え、
前記ブラシは、前記含浸体の前記先端部を進入させるための凹部を有し、
前記凹部の底と前記含浸体の先端部との間に空間を設け、
前記空間は、前記含浸体の先端部から、前記ブラシホルダにおいて前記ブラシに接触し前記ブラシを束ねる束ね部の内方位置まで達していることを特徴とする液状化粧料容器。
【請求項２】
前記ブラシは、前記ナイロン製の筆毛とポリブチレンテレフタレート製の筆毛を混毛したブラシであることを特徴とする請求項１記載の液状化粧料容器。
【請求項３】
前記ナイロン製の筆毛の膨潤率に応じて、前記空間の大きさを決定することを特徴とする請求項１又は２記載の液状化粧料容器。
【請求項４】
前記収容部には、前記液状化粧料が充填され、
前記含浸体は、その後端部が、前記液状化粧料に浸漬する中継芯であり、
前記中継芯を囲繞し、前記ブラシへ供給する液量を調節するためのジャバラ部材を有することを特徴とする請求項１〜３の何れか一項に記載の液状化粧料容器。
【発明の詳細な説明】
【技術分野】
【０００１】
本発明は、液状化粧料を塗布するための液状化粧料容器に関する。
【背景技術】
【０００２】
従来、液状化粧料容器である液状化粧品塗布具として、以下の特許文献１に記載のものが知られている。この液状化粧品塗布具は、筒状を成す塗布具本体と、塗布具本体内に収容されアイライナー等の液状化粧料を含浸した中綿と、塗布具本体の先端部に嵌め込まれたノーズピースと、ノーズピースに集束された穂先と、その後端部が中綿の先端部に挿入されると共に、その先端部が穂先の後端部に挿入された中継芯と、を備え、中綿に含浸された液状化粧料を中継芯を介して穂先へ送り当該穂先から吐出させることにより、被塗布部に塗布できるものである。穂先は、ナイロンペンと云われ、ナイロン繊維より形成される。
【先行技術文献】
【特許文献】
【０００３】
【特許文献１】特開２００６−２９６９３６号公報
【発明の概要】
【発明が解決しようとする課題】
【０００４】
ここで、穂先を構成するナイロン繊維（筆毛）は吸水性があるため、液状化粧料を穂先先端側へ送る際に膨らみ、ノーズピース内においてナイロン繊維同士間の隙間が減少する。このようにナイロン繊維同士間の隙間が減少すると、液状化粧料が流れ難くなる。従って、穂先において液状化粧料が流れやすく塗布が行いやすい液状化粧料容器が求められている。
【０００５】
そこで、本発明は、穂先を始めとしたナイロン製のブラシを有する液状化粧料容器に関し、ブラシにおいて液状化粧料が流れやすく塗布が行いやすい液状化粧料容器を提供することを目的とする。
【課題を解決するための手段】
【０００６】
本発明による液状化粧料容器は、液状化粧料を収容する収容部が内部に設けられた容器本体と、容器本体の先端側に設けられ、ナイロン製の筆毛を複数有し液状化粧料を塗布するためのブラシと、容器本体の先端側に設けられて筒状を成し、ブラシが通過し接触することによりブラシを束ねるブラシホルダと、後端部が収容部に進入すると共に先端部がブラシ内に進入し、液状化粧料を毛細管現象によりブラシへ送る含浸体と、を備え、ブラシは、含浸体の先端部を進入させるための凹部を有し、凹部の底と含浸体の先端部との間に空間を設け、空間は、含浸体の先端部から、ブラシホルダにおいてブラシに接触しブラシを束ねる束ね部の内方位置まで達していることを特徴としている。
【０００７】
このような液状化粧料容器によれば、容器本体の収容部内の液状化粧料は、後端部が収容部に進入すると共に先端部がブラシの凹部に進入した含浸体の毛細管現象によりブラシへ送られ、筆毛同士間の隙間を通ってブラシの先端側へ至り、塗布に供される。液状化粧料がブラシを通る際に、吸水性を有し膨らんだナイロン製の筆毛は、ブラシホルダにおいてブラシに接触しブラシを束ねる束ね部では外方への逃げ場がなく、従って、含浸体の先端部から束ね部の内方位置まで達している空間に入り込み（進入し）、筆毛同士間の隙間が確保され液状化粧料の流路が確保されるため、液状化粧料Ｌが流れやすく塗布が行いやすくなる。また、ブラシホルダの束ね部の内方位置まで空間が達していないと、ブラシホルダの束ね部より軸線方向前方位置のブラシにあっては、束ね部の内側において膨らんだナイロン製の筆毛により、ブラシの先端が先細で尖鋭な形状となるように絞られるのではなく逆に開いてしまう虞があるが、ブラシホルダの束ね部で束ねられ膨らんだナイロン製の筆毛は、ブラシホルダの束ね部の内方の空間へ容易に入り込み、ブラシの先端を先細で尖鋭な形状に維持できる。
【０００８】
ここで、ブラシは、ナイロン製の筆毛とポリブチレンテレフタレート製の筆毛を混毛したブラシとするのが好ましい。ナイロン製の筆毛は、弾力性が劣り例えばアイライン等を描く際に、塗布し難いことがある。ポリブチレンテレフタレート（ＰＢＴ）製の筆毛は、吸水性が低く膨らみ難いため、液状化粧料の流路を確保できる上、ある程度の硬さ（ナイロン製の筆毛より高い硬さ）を有しているため、弾力性を持たせることができる。従って、ナイロン製の筆毛とポリブチレンテレフタレート製の筆毛を混毛したブラシとし、液状化粧料により膨らんだナイロン製の筆毛は前述したように空間に入り込ませると共に、膨らみ難いポリブチレンテレフタレート製の筆毛を混毛することによって、液状化粧料の流路を確保し液状化粧料を流しやすくしつつ、塗布の際に弾力性が加わった最適な使用感で容易に塗布を行うことができる。
【０００９】
また、ナイロン製の筆毛の膨潤率に応じて、空間の大きさを決定するようにすると、膨らんだナイロン製の筆毛が好適に空間に入り込むことができる。
【００１０】
ここで、上記作用を好適に奏する液状化粧料容器の構成としては、具体的には、収容部には、液状化粧料が充填され、含浸体は、その後端部が、液状化粧料に浸漬する中継芯であり、中継芯を囲繞し、ブラシへ供給する液量を調節するためのジャバラ部材を有する所謂直液式の液状化粧料容器が挙げられる。
【発明の効果】
【００１１】
このように本発明によれば、液状化粧料が流れやすく塗布が行いやすいブラシを有する液状化粧料容器を提供できる。
【図面の簡単な説明】
【００１２】
【図１】本発明の実施形態に係る液状化粧料容器を示す縦断面図である。
【図２】図１の要部を拡大して示す縦断面図である。
【発明を実施するための形態】
【００１３】
以下、本発明による液状化粧料容器の好適な実施形態について図１及び図２を参照しながら説明する。図１は、本発明の実施形態に係る液状化粧料容器を示す縦断面図、図２は、要部を拡大して示す縦断面図であり、本実施形態の液状化粧料容器は、液状化粧料を被塗布部である皮膚等に塗布する際に用いられるものであって、特に、アイライナーのように瞼に細い線を描いたり、アイブロウのように眉毛の細い線を描くのに好適なものである。なお、液状化粧料は、アイライナーやアイブロウに限定されるものではなく、他の液状化粧料であっても良い。
【００１４】
図１に示すように、液状化粧料容器１００は、全体形状が筆記具の如き細長い丸棒状を呈するものであり、円筒状の容器本体１と、容器本体１内に設けられ液状化粧料Ｌを収容する収容部２と、容器本体１の先端側に配置され収容部２内の液状化粧料Ｌを塗布するためのブラシ３と、ブラシ３を束ね保持するための円筒状のブラシホルダ８と、容器本体１内に配置され収容部２内とブラシ３を結ぶ軸状の中継芯（含浸体）４と、中継芯４を囲繞するように配置された略円筒状のジャバラ部材５と、を概略備える。なお、ここでは、使用者が容器本体１を持って塗布しやすいように、容器本体１に対して、有底円筒状の把持筒６が着脱可能に装着される。
【００１５】
容器本体１は、例えばポリプロピレン（ＰＰ）等から形成され、鍔付きで先細の円筒状に構成される。容器本体１の外周面に設けられた鍔部１ａの後端面には、把持筒６の先端面が突き当てられ、鍔部１ａの先端面には、容器本体１に装着されたキャップ１０の開放端面が突き当てられる。また、容器本体１の後端の開口は、有底円筒状の尾栓７を差し込み装着することにより閉じられている。
【００１６】
ジャバラ部材５は、液状化粧料Ｌの液量を調節するためのもので、例えばポリプロピレン（ＰＰ）等から形成される。ジャバラ部材５は、液状化粧料Ｌを含む溝（ジャバラ）を有し、その円筒状の後端部５ａが、容器本体１の内周面の凹部１ｂに嵌合することにより、容器本体１に装着される。そして、容器本体１内のジャバラ部材５の後端部５ａと尾栓７との間に上記収容部２が形成されており、この収容部２内に液状化粧料Ｌが充填されている。液状化粧料Ｌの粘度は、ここでは、１〜５００ｍＰａ・ｓ（ミリパスカルセコンド）とされている。なお、収容部２内には、液状化粧料Ｌを撹拌するための球体２０が収容されている。
【００１７】
中継芯４は、例えばポリエチレンテレフタレート（ＰＥＴ）等から形成され、断面円形を成す軸体である。この中継芯４は、ジャバラ部材５の筒孔を通過するように軸線方向に延在し、ジャバラ部材５内に本体部４ａが位置する。そして、中継芯４の本体部４ａの先端側の部分が、ジャバラ部材５の溝より前側の部分と嵌合することにより、ジャバラ部材５に装着されている。
【００１８】
中継芯４の本体部４ａより前側へ延びる先端部４ｂは、本体部４ａより縮径された小径の断面円形を成す軸体であり、先端側へ向かって徐々に先細となる形状に構成される。このような形状の中継芯４は、例えばポリエチレンテレフタレート繊維を集束し、この繊維束を接着用樹脂により固め、固められた繊維束を、例えばグラインダー等を用い上記形状となるように外周面を研磨することにより得られる。そして、このようにして形成された中継芯４は、その後端側の部分が、ジャバラ部材５の後端部５ａの孔を通して収容部２内に進入し液状化粧料Ｌに浸漬すると共に、その先端部４ｂがブラシ３内に進入し当該ブラシ３と接触することにより、収容部２内とブラシ３とを繋ぐ役目を果たし、毛細管現象により収容部２内の液状化粧料Ｌを吸い上げブラシ３へ向かって送り出すのを可能とする。
【００１９】
ブラシ３は、ナイロン製の筆毛（フィラメント）を多数束ねたものであり、筆毛の後端部は、図２に示すように、円板状の筆毛保持部１１に固着される。筆毛保持部１１は、その中央に、中継芯４の先端部４ｂを通すための貫通孔１１ａを有する。ブラシ３には、ブラシ３の後端部が筆毛保持部１１に固着された状態において、ブラシ３の後端面から先端側へ向かって凹む凹部３ａが形成される。この凹部３ａは、中継芯４の先端部４ｂを進入させるためのものであるが、中継芯４の先端部４ｂを進入させた状態のときの先端部４ｂよりも、さらに先端側へ延びるように凹設されており、徐々に先細になって閉じる形状となっている。
【００２０】
ブラシホルダ８は、スリーブとも呼ばれるもので、略円筒状で先端が先細とされた形状を呈し、その筒孔をブラシ３が通過する。このブラシホルダ８は、その先端部８ａより後側の部分が、容器本体１の先端部内に進入し、その後端部において外方へ突出し周方向に沿って複数（ここでは２個）設けられた突出部８ｂが、容器本体１の先端部において内方へ突出し周方向に沿って複数（ここでは４個）設けられた突出部１ｃの後側に位置し対面している。また、ブラシホルダ８の先端部８ａは、容器本体１から前方へ突出すると共に、その内径が、先端部８ａより後側の部分の内径より縮径しており、内側へ円環状に張り出す張り出し部を構成している。
【００２１】
そして、ブラシホルダ８は、ジャバラ部材５が容器本体１に対して装着されることにより（図１参照）、筆毛保持部１１を介してその突出部８ｂが軸線方向先端側に押圧され、容器本体１の突出部１ｃに当接することにより、軸線方向に移動不能に装着される。従って、筆毛保持部１１は、ジャバラ部材５の先端面とブラシホルダ８の後端面との間に挟持され軸線方向に移動不能とされる。そして、この状態で、ブラシホルダ８の外周面と容器本体１の内周面との間には、軸線方向に沿って容器内外を連通する空間Ｓ１が形成される。
【００２２】
この状態で、ブラシ３は、ブラシホルダ８の筒内を通り、ブラシ３の複数の筆毛がブラシホルダ８の先端部８ａに接触し、当該先端部８ａによってブラシ３の複数の筆毛が押えられて（絞られて）束ねられ、ブラシ３の先端３ｂが、先細で尖鋭な形状に整えられる。なお、ここでは、ブラシホルダ８の先端部８ａが、ブラシ３に接触し当該ブラシを束ねているが、ブラシ３に接触し当該ブラシを束ねるのは先端部に限定されるものではないため、以降では束ね部８ａと呼ぶ。そして、この状態で、ブラシホルダ８において内側へ張り出す束ね部８ａより後側の内周面と、ブラシ３の外周面との間には、軸線方向後方へ行くに従って徐々に狭くなる空間Ｓ２が形成される。
【００２３】
また、中継芯４の先端部４ｂは、筆毛保持部１１の貫通孔１１ａを通ってブラシ３の凹部３ａに進入し、ブラシ３の複数の筆毛に接触した状態となる。詳しくは、中継芯４の先端部４ｂの略後半部の外周面が、ブラシ３の複数の筆毛に接触した状態となる。
【００２４】
そして、この状態で、ブラシ３の凹部３ａの底３ｃと、中継芯４の先端部４ｂとの間には、軸線方向に延びる空間Ｓが設けられる。この空間Ｓは、中継芯４の先端部４ｂから、ブラシホルダ８の束ね部８ａの内方位置まで達し、ここでは、さらに前方へ延びる形状となっている。
【００２５】
容器本体１の先端側には、図１に示すように、ブラシ３等を保護するための有底円筒状のキャップ１０が嵌合により着脱自在に装着されている。キャップ１０内には、コイルバネ９により容器本体１側に付勢される内キャップ１０ａが設けられる。そして、キャップ１０の装着時にあっては、内キャップ１０ａがコイルバネ９の付勢力により容器本体１の先端側の先細の外周面に密着して気密を確保し液状化粧料成分の揮発を抑制する。
【００２６】
このような液状化粧料容器１００にあっては、容器本体１の収容部２内の液状化粧料Ｌは、中継芯４の毛細管現象によりブラシ３へ送られ、筆毛同士間の隙間を通ってブラシ３の先端側へ至り、塗布に供される。
【００２７】
そして、この液状化粧料容器１００によれば、液状化粧料Ｌがブラシ３を通る際に、吸水性を有し膨らんだナイロン製の筆毛は、ブラシホルダ８においてブラシ３に接触しブラシ３を束ねる束ね部８ａでは外方への逃げ場がなく、従って、中継芯４の先端部から束ね部８ａの内方位置まで達している空間Ｓに入り込み、ナイロン製の筆毛同士間の隙間が確保され液状化粧料Ｌの流路が確保される。このため、液状化粧料Ｌが流れやすく塗布が行いやすくなる。また、ブラシホルダ８の束ね部８ａの内方位置まで空間Ｓが達していないと、ブラシホルダ８の束ね部８ａより軸線方向前方位置のブラシにあっては、束ね部８ａの内側において膨らんだナイロン製の筆毛により、ブラシの先端３ｂが先細で尖鋭な形状となるように絞られるのではなく逆に開いてしまう虞があるが、ブラシホルダ８の束ね部８ａで束ねられ膨らんだナイロン製の筆毛は、ブラシホルダ８の束ね部８ａの内方の空間Ｓへ容易に入り込み、ブラシ３の先端３ｂを先細で尖鋭な形状に維持できる。
【００２８】
また、本実施形態によれば、空間Ｓは、ブラシホルダ８の束ね部８ａの内方位置から、さらに前方へ延びているため、ブラシ３の先端３ｂへ一層液状化粧料Ｌを送りやすくなっている。
【００２９】
また、本実施形態によれば、ナイロン製の筆毛が膨潤し過ぎた場合には、当該ナイロン製の筆毛を、空間Ｓ２にも入り込ませることができる。
【００３０】
また、本実施形態によれば、空間Ｓ１を通して空気を容器内に取り入れることができ、容器内の内圧を安定させることができる。
【００３１】
ところで、ナイロン製の筆毛は、肌触りが良い、毛先が纏まりやすい、反面、吸水性が高く、弾力性が劣るため、粘度の高い例えばアイライナー等の液状化粧料を出しやすいという利点を有する一方で、アイライン等を描く際に、塗布し難いことがある。
【００３２】
そこで、このような点を改善する液状化粧料容器として、複数のナイロン製の筆毛と、ポリブチレンテレフタレート（ＰＢＴ）製の筆毛とを混毛したブラシを用いるのが好ましい。
【００３３】
ポリブチレンテレフタレート製の筆毛は、肌触りが悪く、毛先が纏め難い一方、吸水性が低く膨らみ難いため、液状化粧料Ｌの流路を確保できる上、ある程度の硬さ（ナイロン製の筆毛より高い硬さ）を有しているため、弾力性を持たせることができる。
【００３４】
従って、ナイロン製の筆毛とポリブチレンテレフタレート製の筆毛を混毛したブラシとし、液状化粧料Ｌにより膨らんだナイロン製の筆毛は前述したように空間Ｓに入り込ませると共に、膨らみ難いポリブチレンテレフタレート製の筆毛を混毛することによって、液状化粧料Ｌの流路を確保し液状化粧料を流しやすくしつつ、塗布の際に弾力性が加わった最適な使用感で容易に塗布を行うことができる。
【００３５】
このようなブラシにあって、上記作用・効果を奏する混毛の割合としては、ポリブチレンテレフタレート製の筆毛を１０〜７０重量％、好ましくは、１５〜４５重量％とするのが良い。
【００３６】
なお、ナイロン製の筆毛、ポリブチレンテレフタレート製の筆毛の断面形状を互いに異ならせても良く、また、互いに異なる複数種類の断面形状のナイロン製の筆毛と、互いに異なる複数種類の断面形状のポリブチレンテレフタレート製の筆毛とを混毛しても良く、また、径違いの筆毛を混毛しても良い。
【００３７】
ここで、ナイロン製の筆毛とポリブチレンテレフタレート製の筆毛の混毛したブラシの実施例を挙げる。ナイロン製の筆毛及びポリブチレンテレフタレート製の筆毛の断面形状は円形とし、ナイロン製の筆毛及びポリブチレンテレフタレート製の筆毛の径は、それぞれ０．０６〜０．２５ｍｍとした。また、他の例として、ナイロン製の筆毛は、径違いをを混毛した。また、他の例として、ナイロン製の筆毛の断面形状は、非円形である十字形又は星形又はＹ字形とした。
【００３８】
なお、断面形状は上記非円形に限定されず、また、断面非円形同士を混毛しても良く、これ以外の種々の組み合わせを採用することできる。
【００３９】
因みに、ブラシは、ナイロン製の筆毛を有するブラシ、ナイロン製の筆毛とポリブチレンテレフタレート製の筆毛を混毛したブラシに限定されるものではなく、これらのブラシに、さらに別の材質から成る筆毛を追加混毛したブラシであっても良い。
【００４０】
ここで、ナイロン製の筆毛を含むブラシにあっては、ナイロン製の筆毛の膨潤率に応じて、上記空間Ｓの大きさ（孔径、空間面積）を決定するのが好ましい。このような構成を採用した場合、膨らんだナイロン製の筆毛を、好適に空間Ｓに入り込ませることができる。
【００４１】
以上、本発明をその実施形態に基づき具体的に説明したが、本発明は上記実施形態に限定されるものではなく、例えば、上記実施形態においては、容器本体１とブラシホルダ８を別部品としているが、一体品とし、容器本体１の先端部がブラシホルダとして機能する構成であっても良い。
【００４２】
また、上記実施形態においては、液状化粧料Ｌを直接収容部２に充填し、ジャバラ部材５により液状化粧料Ｌの液量を調節しながら中継芯４を介してブラシ３に供給する所謂直液式を採用しているが、ジャバラ部材５がなく、液状化粧料Ｌを含浸した中綿（含浸体）を収容部２に収容し、中綿の液状化粧料Ｌを中継芯４を介してブラシ３に供給する所謂中綿式に対しても適用可能であり、中綿が中継芯も兼ねてブラシ３内まで進入するように延びるタイプの液状化粧料容器に対しても適用可能である。
【符号の説明】
【００４３】
１…容器本体、２…収容部、３…ブラシ、３ａ…凹部、３ｃ…凹部の底、４…中継芯（含浸体）、４ｂ…中継芯の先端部、５…ジャバラ部材、８…ブラシホルダ、８ａ…束ね部、１００…液状化粧料容器、Ｌ…液状化粧料、Ｓ…空間。
【図１】
2018086163.tif 000003
【図２】
2018086163.tif 000004